(57)【要約】【課題】複数の機能を有する携帯機器において、各機能に適したモニタ構成や操作部による使い勝手のよい操作方法を採ることができるようにする。【解決手段】この携帯機器１は、背面に第１のモニタ１４を備えた第１の筐体１０と、第１の筐体１０の上面に摺動自在に配設された第２の筐体１２であって、下面に第２のモニタを備えた第２の筐体１２と、第１の筐体１０に対して第２の筐体１２を基準位置からモニタ表示面に平行な同一平面内の複数の位置にスライド自在に連結する連結機構とから構成されている。第２の筐体１２を距離Ｌ１だけスライドさせると、第１の筐体１０に撮影レンズ１６等が露出するとともに、第２の筐体１２上に第１の操作部２４が露出して撮影モードとなり撮影が可能になり、更に第２の筐体をスライドさせると、第２の筐体１２上の第２のモニタが露出し、２つのモニタを使用した再生が可能になる。【選択図】  図２
2009111879.tif 000002
【特許請求の範囲】
【請求項１】
第１の機能と第２の機能とを含む複数の機能を有する携帯機器において、
背面に第１のモニタを備えた第１の筐体と、
前記第１の筐体の上面に摺動自在に配設された第２の筐体であって、下面に第２のモニタを備えた第２の筐体と、
前記第１の筐体に対して前記第２の筐体を基準位置から少なくともモニタ表示面に平行な同一平面内の第１の位置及び第２の位置に移動自在に連結する連結機構と、からなり、
前記第２の筐体が前記第１の位置に移動すると、前記第２の筐体上に第１の操作部が露出して前記第１の機能を使用可能にし、
前記第２の筐体が前記第２の位置に移動すると、前記第２の筐体上の第２のモニタが露出し、前記第２の機能を使用可能にすることを特徴とする携帯機器。
【請求項２】
前記第１の筐体と第２の筐体とは、前記第２の筐体が前記基準位置に位置するときにシルエットが略一致することを特徴とする請求項１に記載の携帯機器。
【請求項３】
前記第２の筐体の前記基準位置からの移動距離、又は移動位置を検出する検出手段と、
前記検出手段によって検出された前記第２の筐体の移動距離、又は移動位置に応じて前記携帯機器の複数の機能のうちのいずれかの機能を制御する制御手段と、
を備えたことを特徴とする請求項１又は２に記載の携帯機器。
【請求項４】
前記複数の機能に対応した複数の動作モードのうちのいずれかの動作モードを選択するモード選択手段を備え、
前記制御手段は、前記モード選択手段によって選択された動作モードに応じて携帯機器の複数の機能のうちのいずれかの機能を制御し、
前記モード選択手段は、前記検出手段によって検出された前記第２の筐体の移動距離、又は移動位置に応じて前記動作モードを切り換えることを特徴とする請求項３に記載の携帯機器。
【請求項５】
前記第２の筐体が前記第２の位置に移動して前記第２のモニタが露出すると、前記第１の筐体上の第１のモニタと第２の筐体上の第２のモニタとは、左右方向又は上下方向に並べられることを特徴とする請求項１から４のいずれかに記載の携帯機器。
【請求項６】
前記連結機構は、ボールキャッチ又はマグネットキャッチを備え、前記基準位置、第１の位置、及び第２の位置にて前記第２の筐体を停止させることを特徴とする請求項１から５のいずれかに記載の携帯機器。
【請求項７】
前記連結機構は、前記第１の筐体に対して前記第２の筐体を前記基準位置からモニタ表示面に平行な同一平面内で前記第１の位置とは異なる方向の第３の位置に移動自在に連結し、
前記第２の筐体が前記第３の位置に移動すると、前記第２の筐体上の第２の操作部が露出することを特徴とする請求項１から６のいずれかに記載の携帯機器。
【請求項８】
前記連結機構は、前記第１の筐体に対して前記第２の筐体を前記基準位置からモニタ表示面に平行な同一平面内で前記第２の位置とは異なる方向の第４の位置に移動自在に連結し、
前記第２の筐体が前記第４の位置に移動すると、前記第２の筐体上の第２のモニタが露出することを特徴とする請求項１から７のいずれかに記載の携帯機器。
【請求項９】
前記第２のモニタの上面には第２のタッチパネルが配設され、前記第２の筐体が前記第１の位置に移動すると、前記第２のモニタの一部が露出するとともに、前記第２のタッチパネルが露出し、
前記１の操作部は、前記第２のモニタの一部及び第２のタッチパネルから構成されていることを特徴とする請求項１から８のいずれかに記載の携帯機器。
【請求項１０】
前記第１の筐体と第２の筐体との間に操作部スライダが配設され、
前記第２の筐体が前記第１の位置に移動すると、前記操作部スライダは前記第２の筐体とともに移動して前記第１の操作部として露出し、
前記第２の筐体が前記第２の位置に移動すると、前記操作部スライダは前記第１の筐体とともに停止し、前記第２の筐体上の第２のモニタが露出することを特徴とする請求項１から８のいずれかに記載の携帯機器。
【請求項１１】
前記第１のモニタの上面には第１のタッチパネルが配設され、前記第１のタッチパネルによる操作が可能になることを特徴とする請求項１から１０のいずれかに記載の携帯機器。
【請求項１２】
前記第２のモニタの上面には第２のタッチパネルが配設され、前記第２の筐体が前記第２の位置又は第４の位置に移動すると、前記第２のモニタとともに前記第２のタッチパネルが露出し、該第２のタッチパネルによる操作が可能になることを特徴とする請求項１から１１のいずれかに記載の携帯機器。
【請求項１３】
前記第１の筐体及び第２の筐体は、それぞれ略直方体の形状を有し、
前記第１、第２の位置は、それぞれ前記第２の筐体を前記基準位置から長手方向に第１の距離及び第２の距離だけ移動させたときの位置であることを特徴とする請求項１から１２のいずれかに記載の携帯機器。
【請求項１４】
前記第１の筐体及び第２の筐体は、それぞれ略直方体の形状を有し、
前記第１、第２の位置は、それぞれ前記第２の筐体を前記基準位置から短手方向に第３の距離及び第４の距離だけ移動させたときの位置であることを特徴とする請求項１から１２のいずれかに記載の携帯機器。
【請求項１５】
前記第１の筐体及び第２の筐体は、それぞれ略直方体の形状を有し、
前記第１、第２の位置は、それぞれ前記第２の筐体を前記基準位置から長手方向に第１の距離及び第２の距離だけ移動させたときの位置であり、
前記第３、第４の位置は、それぞれ前記第２の筐体を前記基準位置から短手方向に第３の距離及び第４の距離だけ移動させたときの位置であることを特徴とする請求項８に記載の携帯機器。
【請求項１６】
前記第２の位置は、前記第２の筐体を前記基準位置から対角線方向に第５の距離だけ移動させたときの位置であることを特徴とする請求項１から１５のいずれかに記載の携帯機器。
【請求項１７】
撮影レンズを含む撮像手段及び該撮像手段にて撮影された画像を記録する記録手段を備え、
前記第１の筐体の前記第１のモニタと対向する面には、前記撮影レンズが配設され、
前記第２の筐体が前記第１の位置に移動すると、少なくとも前記第１の筐体に配設された撮影レンズが露出するとともに、前記第２の筐体上に第１の操作部が露出して撮影動作が可能になり、
前記第１のモニタは、スルー画又は撮影された画像を表示することを特徴とする請求項１から１６のいずれかに記載の携帯機器。
【請求項１８】
前記第２の筐体が前記第２の位置又は第４の位置に移動して前記第２の筐体上の第２のモニタが露出すると、前記撮像装置によって撮影された画像を前記第１のモニタ及び第２のモニタにそれぞれ再生させることが可能になることを特徴とする請求項１７に記載の携帯機器。
【請求項１９】
前記表示制御手段は、前記第１のモニタ及び第２のモニタにそれぞれ前記撮像装置によって撮影された前後の２コマを表示させることを特徴とする請求項１８に記載の携帯機器。
【請求項２０】
前記表示制御手段は、前記第１のモニタ及び第２のモニタのうちの一方に前記撮像装置によって撮影された１コマを表示させ、他方に前記１コマの一部を拡大表示させることを特徴とする請求項１８又は１９に記載の携帯機器。
【請求項２１】
前記表示制御手段は、前記第１のモニタ及び第２のモニタのうちの一方に前記撮像装置によって撮影された複数のコマからなるインデックス画像を表示させ、他方に前記インデックス画像から選択された１コマを表示させることを特徴とする請求項１８又は１９に記載の携帯機器。
【請求項２２】
前記表示制御手段は、横方向に並んだ前記第１のモニタ及び第２のモニタに１コマのパノラマ画像、又は２コマからなるパノラマ画像を表示させることを特徴とする請求項１８から２１のいずれかに記載の携帯機器。
【発明の詳細な説明】
【技術分野】
【０００１】
本発明は携帯機器に係り、特にデジタルカメラ、携帯情報端末（ＰＤＡ）、携帯電話等のモニタを備えた携帯機器に関する。
【背景技術】
【０００２】
従来、複数の表示部を連結し、画面のサイズやアスペクト比を変えることができる表示装置が提案されている（特許文献１）。
【０００３】
この表示装置は、複数の表示部が一致する部分のうちの上側の表示部のフレーム部分を透明にし、これにより上側の表示部の画像と下側の表示部の画像との境界部分が、上記フレーム部分によって遮蔽されることなく、連続的につながって表示できるようにしている。
【０００４】
また、特許文献１には、複数の表示部の連結機構としては、複数の表示部間をスライド自在連結した機構、回転可能に連結した機構、平行リンクで連結した機構等が記載されている。
【特許文献１】特開２００６−１０８１１号公報
【発明の開示】
【発明が解決しようとする課題】
【０００５】
特許文献１に記載の表示装置は、モバイル機器のディスプレイとして適用されるもので、複数の表示部を重ね合わせることでモバイル機器のコンパクト化を可能にするとともに、複数の表示部を展開することで表示エリアを拡大することができるが、引用文献１には、表示機能に関する記載しかなく、特に前記表示装置とモバイル機器との関係を示す構成、モバイル機器の操作部、及び複数の機能に関する記載がない。
【０００６】
本発明はこのような事情に鑑みてなされたもので、複数の機能を有する携帯機器において、各機能に適したモニタ構成や操作部による使い勝手のよい操作方法を採ることができる携帯機器を提供することを目的とする。
【課題を解決するための手段】
【０００７】
前記目的を達成するために請求項１に係る発明は、第１の機能と第２の機能とを含む複数の機能を有する携帯機器において、背面に第１のモニタを備えた第１の筐体と、前記第１の筐体の上面に摺動自在に配設された第２の筐体であって、下面に第２のモニタを備えた第２の筐体と、前記第１の筐体に対して前記第２の筐体を基準位置から少なくともモニタ表示面に平行な同一平面内の第１の位置及び第２の位置に移動自在に連結する連結機構と、からなり、前記第２の筐体が前記第１の位置に移動すると、前記第２の筐体上に第１の操作部が露出して前記第１の機能を使用可能にし、前記第２の筐体が前記第２の位置に移動すると、前記第２の筐体上の第２のモニタが露出し、前記第２の機能を使用可能にすることを特徴としている。
【０００８】
即ち、前記第２の筐体が基準位置からモニタ表示面に平行な同一平面内の第１の位置に移動すると、前記第２の筐体上に第１の操作部が露出し、これにより第１の筐体上の第１のモニタと前記第１の操作部とを使用した前記第１の機能を使用することができるようになり、一方、前記第２の筐体が前記第２の位置に移動すると、前記第２の筐体上の第２のモニタが露出し、これにより前記第１の筐体上の第１のモニタ及び前記第２の筐体上の第２のモニタの２つのモニタを使用した前記第２の機能を使用することができるようになる。
【０００９】
請求項２に示すように請求項１に記載の携帯機器において、前記第１の筐体と第２の筐体とは、前記第２の筐体が前記基準位置に位置するときにシルエットが一致することを特徴としている。
【００１０】
請求項３に示すように請求項１又は２に記載の携帯機器において、前記第２の筐体の前記基準位置からの移動距離、又は移動位置を検出する検出手段と、前記検出手段によって検出された前記第２の筐体の移動距離、又は移動位置に応じて前記携帯機器の複数の機能のうちのいずれかの機能を制御する制御手段と、を備えたことを特徴としている。
【００１１】
即ち、前記第１の筐体に対して前記第２の筐体を移動させたときの移動距離、又は移動位置に基づいて前記複数の機能を切り換えることができ、これにより第２の筐体を移動させたときのモニタ構成や露出する操作部に適した機能を使用することができるようになる。
【００１２】
請求項４に示すように請求項３に記載の携帯機器において、前記複数の機能に対応した複数の動作モードのうちのいずれかの動作モードを選択するモード選択手段を備え、前記制御手段は、前記モード選択手段によって選択された動作モードに応じて携帯機器の複数の機能のうちのいずれかの機能を制御し、前記モード選択手段は、前記検出手段によって検出された前記第２の筐体の移動距離、又は移動位置に応じて前記動作モードを切り換えることを特徴としている。
【００１３】
請求項５に示すように請求項１から４のいずれかに記載の携帯機器において、前記第２の筐体が前記第２の位置に移動して前記第２のモニタが露出すると、前記第１の筐体上の第１のモニタと第２の筐体上の第２のモニタとは、上下方向又は左右方向に並べられることを特徴としている。
【００１４】
請求項６に示すように請求項１から５のいずれかに記載の携帯機器において、前記連結機構は、ボールキャッチ又はマグネットキャッチを備え、前記基準位置、第１の位置、及び第２の位置にて前記第２の筐体を停止させることを特徴としている。
【００１５】
請求項７に示すように請求項１から６のいずれかに記載の携帯機器において、前記連結機構は、前記第１の筐体に対して前記第２の筐体を前記基準位置からモニタ表示面に平行な同一平面内で前記第１の位置とは異なる方向の第３の位置に移動自在に連結し、前記第２の筐体が前記第３の位置に移動すると、前記第２の筐体上の第２の操作部が露出することを特徴としている。
【００１６】
請求項８に示すように請求項１から７のいずれかに記載の携帯機器において、前記連結機構は、前記第１の筐体に対して前記第２の筐体を前記基準位置からモニタ表示面に平行な同一平面内で前記第２の位置とは異なる方向の第４の位置に移動自在に連結し、前記第２の筐体が前記第４の位置に移動すると、前記第２の筐体上の第２のモニタが露出することを特徴としている。
【００１７】
上記請求項７、８に係る発明によれば、前記複数の機能のうちの第１の機能及び第２の機能とは異なる第３の機能及び第４の機能を、前記第２の筐体の移動位置に応じてそれぞれ割り当てることができる。
【００１８】
請求項９に示すように請求項１から８のいずれかに記載の携帯機器において、前記第２のモニタの上面には第２のタッチパネルが配設され、前記第２の筐体が前記第１の位置に移動すると、前記第２のモニタの一部が露出するとともに、前記第２のタッチパネルが露出し、前記１の操作部は、前記第２のモニタの一部及び第２のタッチパネルから構成されていることを特徴としている。
【００１９】
請求項１０に示すように請求項１から８のいずれかに記載の携帯機器において、前記第１の筐体と第２の筐体との間に操作部スライダが配設され、前記第２の筐体が前記第１の位置に移動すると、前記操作部スライダは前記第２の筐体とともに移動して前記第１の操作部として露出し、前記第２の筐体が前記第２の位置に移動すると、前記操作部スライダは前記第１の筐体とともに停止し、前記第２の筐体上の第２のモニタが露出することを特徴としている。
【００２０】
請求項１１に示すように請求項１から１０のいずれかに記載の携帯機器において、前記第１のモニタの上面には第１のタッチパネルが配設され、前記第１のタッチパネルによる操作が可能になることを特徴としている。
【００２１】
即ち、前記第１の筐体上の第１のモニタは常時露出しているが、この第１のモニタと該第１のモニタ上の第１のタッチパネルを操作部として利用することができる。これにより、前記第２の筐体が基準位置に位置している状態でも携帯機器を操作することができる。
【００２２】
請求項１２に示すように請求項１から１１のいずれかに記載の携帯機器において、前記第２のモニタの上面には第２のタッチパネルが配設され、前記第２の筐体が前記第２の位置又は第４の位置に移動すると、前記第２のモニタとともに前記第２のタッチパネルが露出し、該第２のタッチパネルによる操作が可能になることを特徴としている。
【００２３】
請求項１３に示すように請求項１から１２のいずれかに記載の携帯機器において、前記第１の筐体及び第２の筐体は、それぞれ略直方体の形状を有し、前記第１、第２の位置は、それぞれ前記第２の筐体を前記基準位置から長手方向に第１の距離及び第２の距離だけ移動させたときの位置であることを特徴としている。
【００２４】
請求項１４に示すように請求項１から１２のいずれかに記載の携帯機器において、前記第１の筐体及び第２の筐体は、それぞれ略直方体の形状を有し、前記第１、第２の位置は、それぞれ前記第２の筐体を前記基準位置から短手方向に第３の距離及び第４の距離だけ移動させたときの位置であることを特徴としている。
【００２５】
請求項１５に示すように請求項８に記載の携帯機器において、前記第１の筐体及び第２の筐体は、それぞれ略直方体の形状を有し、前記第１、第２の位置は、それぞれ前記第２の筐体を前記基準位置から長手方向に第１の距離及び第２の距離だけ移動させたときの位置であり、前記第３、第４の位置は、それぞれ前記第２の筐体を前記第１の位置から短手方向に第３の距離及び第４の距離だけ移動させたときの位置であることを特徴としている。
【００２６】
請求項１６に示すように請求項１から１５のいずれかに記載の携帯機器において、前記第１の位置は、前記第２の筐体を前記基準位置から対角線方向に第５の距離だけ移動させたときの位置であることを特徴としている。
【００２７】
即ち、第２の筐体は、第１の筐体に対して水平方向又は垂直方向に移動する場合に限らず、斜め方向に移動してもよい。
【００２８】
請求項１７に示すように請求項１から１６のいずれかに記載の携帯機器において、撮影レンズを含む撮像手段及び該撮像手段にて撮影された画像を記録する記録手段を備え、前記第１の筐体の前記第１のモニタと対向する面には、前記撮影レンズが配設され、前記第２の筐体が前記第１の位置に移動すると、少なくとも前記第１の筐体に配設された撮影レンズが露出するとともに、前記第２の筐体上に第１の操作部が露出して撮影動作が可能になり、前記第１のモニタは、スルー画又は撮影された画像を表示することを特徴としている。
【００２９】
即ち、請求項１７に係る携帯機器は、前記第２の筐体が前記第１の位置に移動すると、撮像装置として機能する。
【００３０】
請求項１８に示すように請求項１７に記載の携帯機器において、前記第２の筐体が前記第２の位置又は第４の位置に移動して前記第２の筐体上の第２のモニタが露出すると、前記撮像装置によって撮影された画像を前記第１のモニタ及び第２のモニタにそれぞれ再生させることが可能になることを特徴としている。
【００３１】
請求項１９に示すように請求項１８に記載の携帯機器において、前記表示制御手段は、前記第１のモニタ及び第２のモニタにそれぞれ前記撮像装置によって撮影された前後の２コマを表示させることを特徴としている。
【００３２】
請求項２０に示すように請求項１８又は１９に記載の携帯機器において、前記表示制御手段は、前記第１のモニタ及び第２のモニタのうちの一方に前記撮像装置によって撮影された１コマを表示させ、他方に前記１コマの一部を拡大表示させることを特徴としている。
【００３３】
例えば、１コマ内に顔画像が含まれる場合には、顔領域を自動検出し、顔画像のみを拡大表示したり、ユーザによって指定された１コマ内の領域を拡大表示することができる。
【００３４】
請求項２１に示すように請求項１８又は１９に記載の携帯機器において、前記表示制御手段は、前記第１のモニタ及び第２のモニタのうちの一方に前記撮像装置によって撮影された複数のコマからなるインデックス画像を表示させ、他方に前記インデックス画像から選択された１コマを表示させることを特徴としている。
【００３５】
このように２つのモニタを使用することで、インデックス画像の表示と１コマ表示とを切り換えることなく、所望のコマを表示させることができる。
【００３６】
請求項２２に示すように請求項１８から２１のいずれかに記載の携帯機器において、前記表示制御手段は、左右方向に並んだ前記第１のモニタ及び第２のモニタに１コマのパノラマ画像、又は２コマからなるパノラマ画像を表示させることを特徴としている。
【００３７】
即ち、１コマの上下の領域を削除して、例えば縦横のアスペクト比を１：３にし、このアスペクト比の画像を、横並びの２つのモニタの画面全体に表示させたり、また、パノラマ風に２枚の画像を撮影し、これらの２枚の画像をそれぞれ左右のモニタに１枚ずつ表示する。この場合、２枚の画像のつなぎ目が良好になるように画像を加工してもよい。
【発明の効果】
【００３８】
本発明によれば、複数の機能を有する携帯機器において、第２の筐体を基準位置に位置させることにより携帯機器の小型化を図ることができ、また、前記第１の筐体に対して前記第２の筐体を前記基準位置からモニタ表示面に平行な同一平面内の第１の位置又は第２の位置を含む複数の位置に移動させることにより、操作部を露出させたり、モニタを露出させて２つのモニタを使用可能にし、これにより各機能に適したモニタ構成としたり、使い勝手のよい操作方法を採ることができる。
【発明を実施するための最良の形態】
【００３９】
以下、添付図面に従って本発明に係る携帯機器の好ましい実施の形態について説明する。
［携帯機器の外観］
図１乃至図５はそれぞれ本発明に係る携帯機器の外観図である。
【００４０】
図１は電源ＯＦＦ時の携帯機器の外観を示す４面図であり、同図（Ａ）は正面図、同図（Ｂ）は上面図、同図（Ｃ）は右側面図、同図（Ｄ）は背面図である。
【００４１】
この実施の形態の携帯機器１は、撮像装置（デジタルカメラ）であり、主として第１の筐体１０と第２の筐体１２とから構成されている。第１の筐体１０と第２の筐体１２とは、それぞれ略直方体で投影形状が略同じ形状となっており、モニタ表示面に平行な同一平面内で水平方向及び垂直方向にスライド自在に連結されている。尚、連結機構の詳細については後述する。
【００４２】
図１に示すように電源ＯＦＦ時には、第１の筐体１０と第２の筐体１０とのシルエットが一致している状態（第２の筐体１２が基準位置に位置している状態）になる。
【００４３】
図２は撮影モード時の携帯機器１を示す４面図であり、同図（Ａ）は正面図、同図（Ｂ）は上面図、同図（Ｃ）は右側面図、同図（Ｄ）は背面図である。この撮影モード時には、図２に示すように第２の筐体１０は、シルエットが一致している基準位置から携帯機器１の長手方向に距離Ｌ１だけ移動した第１の位置に位置している。
【００４４】
図３は第３の再生モード時の携帯機器１を示す３面図であり、同図（Ａ）は正面図、同図（Ｂ）は底面図、同図（Ｃ）は背面図である。この第３の再生モード時には、図３に示すように第２の筐体１０は、シルエットが一致している基準位置から携帯機器１の長手方向に距離Ｌ２だけ移動した第２の位置に位置している。
【００４５】
図４は第１の再生モード時の携帯機器１を示す４面図であり、同図（Ａ）は正面図、同図（Ｂ）は底面図、同図（Ｃ）は背面図、同図（Ｄ）は右側面図である。この第１の再生モード時には、図３に示すように第２の筐体１０は、シルエットが一致している基準位置から携帯機器１の短手方向に距離Ｌ３だけ移動した第３の位置に位置している。
【００４６】
図５は第２の再生モード時の携帯機器１を示す３面図であり、同図（Ａ）は底面図、同図（Ｂ）は背面図、同図（Ｃ）は右側面図である。この第２の再生モード時には、図５に示すように第２の筐体１０は、シルエットが一致している基準位置から携帯機器１の短手方向に距離Ｌ４だけ移動した第４の位置に位置している。
【００４７】
図１乃至図５に示したように第２の筐体１２は、第１の筐体１０とシルエットが一致している基準位置から第１の位置（撮影モード（図２））、第２の位置（第３の再生モード（図３））、第３の位置（第１の再生モード（図４））、及び第４の位置（第２の再生モード（図５））に移動することができるようになっている。
【００４８】
図２に示すように、第１の筐体１０の背面には、その背面の面積よりも僅かに小さい画面を有するタッチパネル付きの第１のモニタ１４が配設され、この第１のモニタ１４と対向する面（第１の筐体１０の上面）には、デジタルカメラの撮影レンズ１６、セルフタイマーランプ１８、及びフラッシュの発光部２０が配設されている。従って、第２の筐体１２は、第１の筐体１０のシルエットと一致する基準位置に移動させることにより撮影レンズ１６等を遮蔽することができ、レンズカバーとして機能する。
【００４９】
一方、第２の筐体１２の背面には、その背面の面積よりも僅かに小さい画面を有するタッチパネル付きの第２のモニタ２２が配設されている（図３、図５参照）。また、このタッチパネル付きの第２のモニタ２２は、図２に示すように撮影モード時に使用する第１の操作部２４として機能するとともに、図４に示すように第１の再生モード時に使用する第２の操作部２６として機能する。
【００５０】
また、第２の筐体１２の側面には、撮影ボタン２８が配設されている。
【００５１】
上記第１のモニタ１４、及び第２のモニタ２２は、例えば、液晶モニタ、有機エレクトロルミネッセンス等を使用することができる、また、第１のモニタ１４、及び第２のモニタ２２は、略同じ画面サイズを有している。
【００５２】
図２に示す撮影モード時に使用する第１の操作部２４は、マクロ撮影を選択するためのマクロボタン２４Ａ、フラッシュ発光を選択するためのフラッシュボタン２４Ｂ、手振れ補正機能をＯＮ／ＯＦＦさせる手振れ補正ボタン２４Ｃ、顔検出機能をＯＮ／ＯＦＦさせる顔検出ボタン２４Ｄ、赤目軽減フラッシュの発光を選択するための赤目軽減ボタン２４Ｅ、セルフタイマー撮影を行うためのセルフタイマーボタン２４Ｆを示すアイコンボタンを表示しており、これらのボタンがタッチされることにより撮影時の条件を適宜設定できるようになっている。尚、第１の操作部２４に表示させるタッチパネル用のボタンは、上記の例に限らず、ズーム等を指示するマルチファンクションの十字ボタン、メニュー／ＯＫボタン等の種々のボタンを設けることが考えられる。
【００５３】
また、図４に示す第１の再生モード時に使用する第２の操作部２６は、再生ズーム、コマ送り、コマ戻しを含むマルチファンクションの十字ボタン２６Ａ、メニュー／ＯＫボタン２６Ｂ、モニタの表示内容等を変更させるＤＩＳＰ／ＢＡＣＫボタン２６Ｃ、削除ボタン２６Ｄを示すアイコンボタンを表示しており、これらのボタンがタッチされることにより第１の再生モード時の再生操作ができるようになっている。
【００５４】
［携帯機器のスライド機構］
図６乃至図１１は、上記携帯機器１の第１の筐体１０と第２の筐体１２との連結機構（スライド機構）の実施の形態を示す図である。
【００５５】
図６（Ａ）に示すように、第２の筐体１２の第２のモニタ２２が設けられた面の４隅には、ボールキャッチを構成する４つのボール３０が埋設されており、また、第２のモニタ２２の外周部には、スチールフレーム３２が設けられている。
【００５６】
一方、図６（Ｂ）に示すように、第１の筐体１０の下面（第１のモニタ１４と対向する面）には、ボール３０が嵌合する８つの凹部３４と、各凹部３４を連結している凹溝３６とが形成され、更に４隅には４つのマグネット３８が配設されている。
【００５７】
上記構成の第１の筐体１０と第２の筐体１２とは、マグネット３８とスチールフレーム３２との磁力により一体化される。
【００５８】
図７に示すようにボール３０は、バネ３１によって突出する方向に付勢されており、第１の筐体１０と第２の筐体１２とが磁力により一体化されることにより、弾性を持って凹部３４、又は凹溝３６に嵌合するようになっている。
【００５９】
図８は第１の筐体１０の下面の要部拡大図であり、図９は図８のＡ−Ａ線に沿う断面図である。
【００６０】
図８及び図９に示すように、凹部３４と凹溝３６とは深さが異なっており、第１の筐体１０に対して第２の筐体１２を磁力に抗して移動させる外力を加えると、第２の筐体１２側のボール３０は、凹溝３６に沿って移動する。そして、ボール３０が凹部３４に嵌合すると、更に大きな外力を加えなければ、移動しないように固定される。
【００６１】
即ち、第１の筐体１０と第２の筐体１２とは、相互にスライド移動できるとともに、ボールキャッチによって所定の位置まで移動すると、一時的に固定することができる。尚、ボールキャッチの代わりに、マグネットキャッチを使用してもよい。
【００６２】
図１０は第２の筐体１２を携帯機器１の短手方向に移動させた場合のボールキャッチの状態を示す図である。
【００６３】
図１０に示すように第２の筐体１２を、図１０上で下方向に距離Ｌ４だけ移動させると、第２の筐体１２の下端の２個のボール３０が、第１の筐体１０の上端の２つの凹部３４に嵌合し、この位置で停止する。このスライド位置に移動させられた携帯機器１は、第２の再生モードに適用され、第１のモニタ１４と第２のモニタ２２とが上下方向に並ぶ（図５（Ａ）参照）。
【００６４】
図１１は第２の筐体１２を携帯機器１の長手方向に移動させた場合のボールキャッチの状態を示す図である。
【００６５】
図１１に示すように第２の筐体１２を、図１１上で左方向に距離Ｌ２だけ移動させると、第２の筐体１２の右端の２個のボール３０が、第１の筐体１０の左端の２つの凹部３４に嵌合し、この位置で停止する。このスライド位置に移動させられた携帯機器１は、第３の再生モードに適用され、第１のモニタ１４と第２のモニタ２２とが左右方向に並ぶ（図３（Ｃ）参照）。
【００６６】
尚、この実施の形態のボールキャッチによる連結機構によれば、第１の筐体１０と第２の筐体１２とは分離することもできる。
【００６７】
［第２の筐体の位置検出］
図１２及び図１３はそれぞれ第１の筐体１０と第２の筐体１２とのスライド位置の関係を示す平面図及び側面図である。
【００６８】
図１２及び図１３に示すように、第２の筐体の下面には、４つの開閉位置検出スイッチＳＷ１、ＳＷ２、ＳＷ３、ＳＷ４が設けられている。これらのスイッチＳＷ１、ＳＷ２、ＳＷ３、ＳＷ４は、例えば近接スイッチ、光電スイッチ等によって構成され、スイッチＳＷ１、ＳＷ２、ＳＷ３、ＳＷ４と対向する位置に第１の筐体１０が存在する場合には、ＯＦＦとなり、第１の筐体１０が存在しない場合にはＯＮとなる。
【００６９】
尚、図１２上で、黒丸（●）示したスイッチはＯＦＦを示し、白丸（○）で示したスイッチはＯＮを示している。
【００７０】
図１２（Ａ）及び図１３（Ａ）は、第１の筐体１０と第２の筐体１２とのシルエットが一致している基準位置（電源ＯＦＦ）の状態を示し、この場合、スイッチＳＷ１〜ＳＷ４は全てＯＦＦとなる。
【００７１】
図１２（Ｂ）及び図１３（Ｂ）は、第２の筐体１２が同図上で左方向に距離Ｌ１だけ移動した第１の位置（撮影モード）の状態を示し、この場合、スイッチＳＷ１、ＳＷ３はＯＮとなり、スイッチＳＷ２、ＳＷ４はＯＦＦとなる。
【００７２】
図１２（Ｃ）及び図１３（Ｃ）は、第２の筐体１２が同図上で左方向に距離Ｌ２だけ移動した第２の位置（第３の再生モード）の状態を示し、この場合、スイッチＳＷ１、ＳＷ２、ＳＷ３はＯＮとなり、スイッチＳＷ４はＯＦＦとなる。
【００７３】
図１２（Ｄ）は、第２の筐体１２が同図上で下方向に距離Ｌ３だけ移動した第３の位置（第１の再生モード）の状態を示し、この場合、スイッチＳＷ１、ＳＷ２はＯＮとなり、スイッチＳＷ３、ＳＷ４はＯＦＦとなる。
【００７４】
図１２（Ｅ）は、第２の筐体１２が同図上で下方向に距離Ｌ４だけ移動した第４の位置（第２の再生モード）の状態を示し、この場合、スイッチＳＷ１、ＳＷ２、ＳＷ４ＯＮとなり、スイッチＳＷ３はＯＦＦとなる。
【００７５】
尚、図１３（Ｃ）に示すように第２の筐体１２を同図上で左方向に距離Ｌ２だけ移動させる代わりに、図１３（Ｄ）に示すように第２の筐体１２を同図上で右方向に距離Ｌ２だけ移動させるようにしてもよい。
【００７６】
また、この実施の形態では、２つのモニタを使用する第２の再生モード及び第３の再生モード時には、第２のモニタ２２は全て露出するようになっているが、第２のモニタ２２の一部が露出しないようにしてもよい。例えば、図１３（Ｄ）に示す第３の再生モード時に、第２の筐体１２を同図上で右方向に距離Ｌ２よりも少ない距離（Ｌ２−Ｌ１）だけ移動させ、図１３（Ｂ）に示す撮影モード時に露出していた第１の操作部２４（図２参照）に相当する部分が露出しないようにしてもよい。これによれば、第３の再生モード時における第１の筐体１０と第２の筐体１２との重なり部分を大きくとることができ、また、第１の操作部２４のみにタッチパネルを設けた場合に、第２のモニタ２２上でのタッチパネルが設けられた部分とタッチパネルが設けられていない部分とで画面の明るさ等が変化しないようにすることができる。
【００７７】
上記動作モードとスイッチＳＷ１〜ＳＷ４のＯＮ／ＯＦＦとの関係は、次表の通りである。
【００７８】
【表１】
2009111879.tif 000003
【００７９】
［携帯機器の内部構成］
図１４は本発明に係る携帯機器の内部構成を示すブロック図であり、撮像装置に関して示している。
【００８０】
この携帯機器（撮像装置）１は、静止画や動画の記録及び再生機能を備えたデジタルカメラであり、撮像装置１全体の動作は中央処理装置（ＣＰＵ）４０によって統括制御される。ＣＰＵ４０は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００８１】
バス４２を介してＣＰＵ４０と接続されたＲＯＭ４４には、ＣＰＵ４０が実行するプログラム及び制御に必要な各種データ等が格納され、ＥＥＰＲＯＭ４６には、ＣＣＤ画素欠陥情報、カメラ動作に関する各種定数／情報等が格納されている。
【００８２】
また、メモリ（ＳＤＲＡＭ）４８は、プログラムの展開領域及びＣＰＵ４０の演算作業用領域として利用されるとともに、画像データや音声データの一時記憶領域として利用される。ＶＲＡＭ５０、５２は、第１のモニタ１４、第２のモニタ２２用の画像データ専用の一時記憶メモリであり、それぞれＡ領域５０ＡとＢ領域５０Ｂが含まれている。尚、メモリ４８とＶＲＡＭ５０、５２は共用することが可能である。
【００８３】
撮像装置１には、前述したように撮影ボタン２８、開閉位置検出スイッチＳＷ１〜ＳＷ４、タッチパネル１４Ａ付きの第１のモニタ１４、タッチパネル２２Ａ付きの第２のモニタ２２が設けられている。撮影ボタン２４、スイッチＳＷ１〜ＳＷ４、タッチパネル１４Ａ、２２Ａ（図２に示す第１の操作部２４、図４に示す第２の操作部２６等）からの信号はＣＰＵ４０に入力され、ＣＰＵ４０は入力信号に基づいて撮像装置１の各回路を制御し、例えば、レンズ駆動制御、撮影動作制御、画像処理制御、画像データの記録／再生制御、第１のモニタ１４、第２のモニタ２２の表示制御などを行う。
【００８４】
［表１］に示したように、ＣＰＵ４０はスイッチＳＷ１〜ＳＷ４からのＯＮ／ＯＦＦ信号に応じて撮影モード、再生モード（第１〜第３の再生モード）の設定を行うことができるとともに、電源のＯＮ／ＯＦＦを行うことができる。
【００８５】
撮影ボタン２８は、撮影開始の指示を入力する操作ボタンであり、半押し時にＯＮするＳ１スイッチと、全押し時にＯＮするＳ２スイッチとを有する二段ストローク式のスイッチで構成されている。
【００８６】
第１のモニタ１４は、撮影モード時に画角確認用の電子ファインダとして使用できるとともに、第１〜第３の再生モード時に記録済み画像を再生表示する手段として利用される。また、第２のモニタ２２は、第２、第３の再生モード時に記録済み画像を再生表示する手段として利用される。また、第１のモニタ１４、第２のモニタ２２は、タッチパネル１４Ａ、２２Ａで操作されるユーザインターフェース用表示画面としても利用され、撮影モード、再生モード時に使用される各種ボタンの表示や、必要に応じてメニュー情報や選択項目、設定内容などの情報が表示される。尚、第１のモニタ１４、及び第２のモニタ２２に表示される表示内容の詳細については後述する。
【００８７】
撮像装置１は、メディアソケット（メディア装着部）５４を有し、メディアソケット５４には記録メディア５６を装着することができる。記録メディアの形態は特に限定されず、xD-Picture Card（商標）、スマートメディア（商標）に代表される半導体メモリカード、可搬型小型ハードディスク、磁気ディスク、光ディスク、光磁気ディスクなど、種々の媒体を用いることができる。
【００８８】
メディアコントローラ５８は、メディアソケット５４に装着される記録メディア５６に適した入出力信号の受渡しを行うために所要の信号変換を行う。
【００８９】
また、撮像装置１はパソコンその他の外部機器と接続するための通信手段としてＵＳＢインターフェース部６０を備えている。図示せぬＵＳＢケーブルを用いて撮像装置１と外部機器を接続することにより、外部機器との間でデータの受渡しが可能となる。もちろん、通信方式はＵＳＢに限らず、IEEE1394やBluetooth その他の通信方式を適用してもよい。
【００９０】
次に、撮像装置１の撮影機能について説明する。
【００９１】
第２の筐体１２の移動位置に応じて撮影モードが選択されると（図２参照）、カラーＣＣＤ固体撮像素子（以下ＣＣＤと記載）６２を含む撮像部に電源が供給され、撮影可能な状態になる。
【００９２】
レンズユニット６４は、フォーカスレンズを含む撮影レンズ１６と絞り兼用メカシャッター６６とを含む光学ユニットである。レンズユニット６４は、ＣＰＵ４０によって制御されるレンズ駆動部６８、絞り駆動部７０によって電動駆動され、ズーム制御、フォーカス制御及びアイリス制御が行われる。
【００９３】
レンズユニット６４を通過した光は、ＣＣＤ６２の受光面に結像される。ＣＣＤ６２の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ６２は、各フォトダイオードの電荷蓄積時間（シャッタースピード）を制御する電子シャッター機能を有している。ＣＰＵ４０は、タイミングジェネレータ７２を介してＣＣＤ６２での電荷蓄積時間を制御する。尚、ＣＣＤ６２に代えてＭＯＳ型など他の方式の撮像素子を用いてもよい。
【００９４】
ＣＣＤ６２の受光面に結像された被写体像は、各フォトダイオードによって入射光量に応じた量の信号電荷に変換される。各フォトダイオードに蓄積された信号電荷は、ＣＰＵ４０の指令に従いタイミングジェネレータ７２から与えられる駆動パルスに基づいて信号電荷に応じた電圧信号（画像信号）として順次読み出される。
【００９５】
ＣＣＤ６２から出力された信号はアナログ処理部（ＣＤＳ／ＡＭＰ）７４に送られ、ここで画素ごとのＲ，Ｇ，Ｂ信号がサンプリングホールド（相関二重サンプリング処理）され、増幅された後、Ａ／Ｄ変換器７６に加えられる。Ａ／Ｄ変換器７６によってデジタル信号に変換された点順次のＲ，Ｇ，Ｂ信号は、画像入力コントローラ７８を介してメモリ４８に記憶される。
【００９６】
画像信号処理回路８０は、メモリ４８に記憶されたＲ，Ｇ，Ｂ信号をＣＰＵ４０の指令に従って処理する。即ち、画像信号処理回路８０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ４０からのコマンドに従ってメモリ４８を活用しながら所定の信号処理を行う。
【００９７】
画像信号処理回路８０に入力されたＲＧＢの画像データは、画像信号処理回路８０において輝度信号（Ｙ信号）及び色差信号（Ｃr,Ｃb 信号）に変換されるとともに、ガンマ補正等の所定の処理が施される。画像信号処理回路８０で処理された画像データはＶＲＡＭ５０に格納される。
【００９８】
撮影画像を第１のモニタ１４に表示する場合、ＶＲＡＭ５０から画像データが読み出され、バス４２を介して表示制御回路８２に送られる。表示制御回路８２は、ビデオエンコーダを含み、入力された画像データを表示用の所定方式の信号（例えば、ＮＴＳＣ方式のカラー複合映像信号）に変換して第１のモニタ１４に出力する。
【００９９】
ＣＣＤ６２から出力される画像信号によって、１コマ分の画像を表す画像データがＡ領域５０ＡとＢ領域５０Ｂとで交互に書き換えられる。ＶＲＡＭ５０のＡ領域５０Ａ及びＢ領域５０Ｂのうち、画像データが書き換えられている方の領域以外の領域から、書き込まれている画像データが読み出される。このようにしてＶＲＡＭ５０内の画像データが定期的に書き換えられ、その画像データから生成される映像信号が第１のモニタ１４に供給されることにより、撮像中の映像がリアルタイムに第１のモニタ１４に表示される。撮影者は、第１のモニタ１４に表示される映像（スルームービー画）によって撮影画角を確認できる。
【０１００】
撮影ボタン２８が半押しされ、Ｓ１がオンすると、撮像装置１はＡＥ及びＡＦ処理を開始する。即ち、ＣＣＤ６２から出力された画像信号はＡ／Ｄ変換後に画像入力コントローラ８０を介してＡＦ検出回路８６並びにＡＥ／ＡＷＢ検出回路８８に入力される。
【０１０１】
ＡＥ／ＡＷＢ検出回路８８は、１画面を複数のエリア（例えば、１６×１６）に分割し、分割エリアごとにＲＧＢ信号を積算する回路を含み、その積算値をＣＰＵ４０に提供する。ＣＰＵ４０は、ＡＥ／ＡＷＢ検出回路８８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ４０はＣＣＤ６２の電子シャッター及びアイリスを制御して適正な露光量を得る。
【０１０２】
また、ＡＥ／ＡＷＢ検出回路８８は、自動ホワイトバランス調整時には、分割エリアごとにＲＧＢ信号の色別の平均積算値を算出し、その算出結果をＣＰＵ４０に提供する。ＣＰＵ４０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【０１０３】
本撮像装置１におけるＡＦ制御は、例えば映像信号のＧ信号の高周波成分が極大になるようにフォーカシングレンズ（撮影レンズ１６を構成するレンズ光学系のうちフォーカス調整に寄与する移動レンズ）を移動させるコントラストＡＦが適用される。即ち、ＡＦ検出回路８６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【０１０４】
ＡＦ検出回路８６で求めた積算値のデータはＣＰＵ４０に通知される。ＣＰＵ４０は、レンズ駆動部６８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部６８を制御する。尚、ＡＦ評価値の演算はＧ信号を利用する態様に限らず、輝度信号（Ｙ信号）を利用してもよい。
【０１０５】
撮影ボタン２８が半押しされ、Ｓ１オンによってＡＥ／ＡＦ処理が行われ、撮影ボタン２８が全押しされ、Ｓ２オンによって記録用の撮影動作がスタートする。Ｓ２オンに応動して取得された画像データは画像信号処理回路８０において輝度／色差信号（Ｙ／Ｃ信号）に変換され、ガンマ補正等の所定の処理が施された後、メモリ４８に格納される。
【０１０６】
メモリ４８に格納されたＹ／Ｃ信号は、圧縮伸張回路９０によって所定のフォーマットに従って圧縮された後、メディアコントローラ５８を介して記録メディア５６に記録される。例えば、静止画についてはJPEG（Joint Photographic Experts Group）形式で記録される。
【０１０７】
一方、第２の筐体１２の移動位置に応じて再生モード（第１の再生モード）が選択されると（図４参照）、記録メディア５６に記録されている最終の画像ファイル（最後に記録されたファイル）の圧縮データが読み出される。最後の記録に係るファイルが静止画ファイルの場合、この読み出された画像圧縮データは、圧縮伸張回路９０を介して非圧縮のＹＣ信号に伸張され、画像信号処理回路８０及び表示制御回路８２を介して表示用の信号に変換された後、第１のモニタ１４に出力される。これにより、当該ファイルの画像内容が第１のモニタ１４の画面上に表示される。
【０１０８】
静止画の一コマ再生中（動画の先頭フレーム再生中も含む）に、第２の操作部２６の十字ボタン２６Ａ（図４参照）の右ボタン又は左ボタンをタッチすることによって、再生対象のファイルを切り換えること（順コマ送り／逆コマ送り）ができる。コマ送りされた位置の画像ファイルが記録メディア５６から読み出され、上記と同様にして静止画像や動画が第１のモニタ１４に再生表示される。
【０１０９】
また、第２の筐体１２の移動位置に応じて第２又は第３の再生モードが選択されると（図５、図３参照）、前述したように第１のモニタ１４に再生画像が表示されるとともに、表示制御回路８４を介して第２のモニタ２２にも記録メディア５６に記録されている画像の再生表示が可能になる。
【０１１０】
尚、図１４に示したレンズユニット６４、ＣＣＤ６２等の撮像部、及び第１のモニタ１４は第１の筐体１０に配設され、第２のモニタ２２は第２の筐体１２に配設されるが、他の回路等は、適宜分散して配設されている。また、第１の筐体１０と第２の筐体１２との間は、フレキシブルプリント配線板（ＦＰＣ）、赤外線通信、又はブルートゥース等の近距離無線手段によって通信可能となっている。
［再生モードでの表示の実施形態］
第２の筐体１２の移動位置に応じて第１の再生モードが選択されると（図４参照）、前述したように１つのモニタ（第１のモニタ１４）を使用した通常の再生を行うことができる。
【０１１１】
＜第２の再生モード時の表示例＞
図１５及び図１６はそれぞれ第２の再生モード時の第１の表示例を示す図である。
【０１１２】
これらの図面に示すように、第２の再生モード時には、第１のモニタ１４と第２のモニタ２２とが上下に並んだモニタ配置となり、第１の表示例では、第１のモニタ１４と第２のモニタ２２にそれぞれ前後に撮影された２枚の画像を表示するようにしている。
【０１１３】
また、図１６に示すように第２のモニタ２２上のタッチパネル２２Ａの右端部にタッチすると、第２の再生モード時に使用する操作画面が表示される。この操作画面には、再生ズーム、コマ送り、コマ戻しを含むマルチファンクションの十字ボタン９２Ａ、メニュー／ＯＫボタン９２Ｂ、モニタの表示内容等を変更させるＤＩＳＰ／ＢＡＣＫボタン９２Ｃ、削除ボタン９２Ｄを示すアイコンボタンが表示され、これらのボタンをタッチすることにより第２の再生モード時の再生操作ができるようになっている。
【０１１４】
例えば、十字ボタン９２Ａの右ボタン、又は左ボタンにタッチすることにより、コマ送り、又はコマ戻しを行うことができる。尚、この場合、２つのモニタがあるため、２コマずつコマ送り、又はコマ戻しを行ってもよいし、２つのモニタ間でコマがシフトするように１コマずつコマ送り、又はコマ戻しを行ってもよい。
【０１１５】
尚、タッチパネルの操作画面は、画像の一部を消去して表示するようにしてもよいし、半透明にして画像の一部に重ねて表示するようにしてもよい。また、タッチパネルの操作画面は、一定時間、操作しない場合には、自動的に消去されるようになっている。
【０１１６】
図１７は第２の再生モード時の第２の表示例を示す図である。
【０１１７】
同図に示すように、第２の表示例では、所望の１コマを第１のモニタ１４の画面全体に表示し、３×３コマの縮小画像（サムネイル画像）からなるインデックス画像を第２のモニタ２２に表示するようにしている。
【０１１８】
そして、第２のモニタ２２上のタッチパネル２２Ａを使用し、インデックス画像中の任意のサムネイル画像にタッチすると、そのタッチしたサムネイル画像に枠９４が表示されるとともに、枠９４が表示されたサムネイル画像が第１のモニタ１４に拡大表示される。
【０１１９】
インデックス画像の切り換え方法は、例えばインデックス画像中の先頭コマ（左上）に一定時間タッチすると、前ページのインデックス画像を表示し、インデックス画像中の最終コマ（右下）に一定時間タッチすると、次ページのインデックス画像を表示することによって行うことができる。また、第１のモニタ１４上のタッチパネル１４Ａを使用してインデックス画像の切り換え等を行うようにしてもよい。
【０１２０】
第２の再生モードでのその他の表示例としては、所望の１コマを第２のモニタ２２に表示し、この表示された１コマの一部を拡大して第１のモニタ１４に表示するようにしてもよい。
【０１２１】
１コマ中の拡大する領域としては、顔検出手段によって自動的に顔検出した顔領域でもよいし、タッチパネル２２Ａ上で指定した領域でもよい。
【０１２２】
また、第１のモニタ１４と第２のモニタ２２での画像再生をそれぞれ独立して行うようにしてもよい。この場合、例えば、一方のモニタに動画を表示させながら、他方のモニタに静止画をコマ送り表示させることができる。
【０１２３】
＜第３の再生モード時の表示例＞
図３（Ｃ）は第３の再生モード時における画像の表示例を示している。
【０１２４】
第３の再生モード時には、第１のモニタ１４と第２のモニタ２２とが左右に並んだモニタ配置となる。
【０１２５】
そして、パノラマ再生等の指示入力をタッチパネル１４Ａ等で行うことにより、左右方向に並んだ第１のモニタ１４、第２のモニタ２２に１コマのパノラマ画像を表示させることができるようになっている。
【０１２６】
即ち、パノラマ表示する１コマの上下の領域を削除して、例えば縦横のアスペクト比を１：３にし、このアスペクト比の画像を、第１のモニタ１４及び第２のモニタ２２の画面全体に表示させる。
【０１２７】
また、パノラマ風に２枚の画像が撮影記録されている場合、これらの２枚の画像をそれぞれ左右のモニタに１枚ずつ表示することで、パノラマ表示することができる。尚、この場合、パノラマ再生等の指示入力があると、２枚の画像のつなぎ目が良好になるように画像を加工した上で表示することが好ましい。
【０１２８】
更に、第３の再生モード時においても、第２の再生モードと同様な再生を行うことができることは言うまでもない。
【０１２９】
［携帯機器のスライド機構の他の実施の形態］
図１８は本発明に係る携帯機器の他の実施の形態を示す背面図であり、前述した第１の再生モードの状態に関して示している。尚、図１８に示す携帯機器１’は、スライド機構のみが携帯機器１と異なり、他の構成は同一である。
【０１３０】
図１８に示すように携帯機器１’の第１の筐体１０’と第２の筐体１２’とは、携帯機器１’の対角線方向にもスライド可能になっている。
【０１３１】
そして、第２の筐体１２’が斜め方向にスライド移動すると、第２のモニタ２２及びタッチパネル２２Ａからなる操作部２６’が現れる。
【０１３２】
図１９及び図２０は、それぞれ上記携帯機器１’の第１の筐体１０’と第２の筐体１２’との連結機構（スライド機構）の実施の形態を示す図である。
【０１３３】
図１９（Ａ）に示すように、第２の筐体１２’の第２のモニタ２２が設けられた面の４隅には、ボールキャッチを構成する６つのボール３０が埋設されており、また、第２のモニタ２２の外周部には、スチールフレーム３２が設けられている。
【０１３４】
一方、図１９（Ｂ）に示すように、第１の筐体１０’の下面（第１のモニタ１４と対向する面）には、ボール３０が嵌合する８つの凹部３４と、各凹部３４を連結している凹溝３６とが形成され、更に周辺部には６つのマグネット３８が配設されている。
【０１３５】
上記構成の第１の筐体１０’と第２の筐体１２’とは、マグネット３８とスチールフレーム３２との磁力により一体化される。
【０１３６】
図２０は第２の筐体１２’を対角線方向（図２０上で斜め下方向）に移動させた場合のボールキャッチの状態を示す図である。
【０１３７】
図２０に示すように第２の筐体１２’を、図２０上で対角線方向に距離Ｌ５だけ移動させると、第２の筐体１２’の左上の３個のボール３０が、第１の筐体１０’の斜め下方向に分岐した３本の凹溝３６の先端の３つの凹部３４に嵌合し、この位置で停止する。このスライド位置に移動させられた携帯機器１’は、第１の再生モードに適用される（図１８参照）。
【０１３８】
尚、この実施の形態のボールキャッチ等を利用したスライド機構は、図６乃至図１１で説明した携帯機器１のスライド機構と同様に、水平方向及び垂直方向にも移動できるが、ここではその説明は省略する。
［携帯機器の他の実施の形態］
図２１は本発明に係る携帯機器の他の実施の携帯を示す分解斜視図である。
【０１３９】
同図に示す携帯機器１００は、図１等で示した携帯機器１と同様な機能を有するもので、主として第１の筐体１１０、第２の筐体１２０、及び操作部スライダ１３０から構成されている。
【０１４０】
また、図２２は、第１の筐体１１０と第２の筐体１２０と操作部スライダ１３０とのスライド位置の関係を示す側面図である。
【０１４１】
図２１及び図２２に示すように、第１の筐体１１０と第２の筐体１２０とは、それぞれ略直方体で投影形状が略同じ形状となっており、第２の筐体１２０は、第１の筐体１１０のガイド部１１２により第１の筐体１１０の長手方向にスライド自在に連結され、また、操作部スライダ１３０は、第１の筐体１１０に形成されたガイド孔（長孔）１１４と、このガイド孔１１４に案内される操作部スライダ１３０に設けられたガイドシャフト１３２とにより水平方向にスライド自在に連結されている。
【０１４２】
第２の筐体１２０の長手方向の各側面には、ボールキャッチを構成する２つのボール３０が埋設されており、上面には４つのボール３０が埋設されている。
【０１４３】
また、操作部スライダ１３０の下面には、第２の筐体１２０の上面の４つのボール３０が嵌合する凹部３４（図２２（Ｃ））が形成され、上面には、４つのボール３０が埋設されている。
【０１４４】
一方、第１の筐体１１０の、第２の筐体１２０及び操作部スライダ１３０が挿入される収納部の側面の内側には、第２の筐体１２０の側面のボール３０が嵌合する凹部３４が形成され、収納部の下面には、操作部スライダ１３０のボール３０が嵌合する凹部３４が形成されている。
【０１４５】
図２２（Ａ）に示すように初期状態（電源ＯＦＦ時）には、第１の筐体１１０と第２の筐体１２０とのシルエットが一致している状態になる。
【０１４６】
図２２（Ｂ）に示すように、上記初期状態（基準位置）から第２の筐体１２０を距離Ｌ６だけ同図（Ｂ）上で右方向に移動させると、操作部スライダ１３０の操作面が露出する。これにより、第１のモニタ１４を使用した撮影や再生動作が可能になる。
【０１４７】
図２２（Ｃ）に示すように、上記初期状態（基準位置）から第２の筐体１２０を距離Ｌ７だけ同図（Ｃ）上で左方向移動させると、第２の筐体１２０上の第２のモニタ２２が全て露出する。この場合には、第１の筐体１１０上の第１のモニタ１４と第２の筐体１２０上の第２のモニタ２２とが横並びとなり、図５に示したようにパノラマ表示等に適した第３の再生モードとなる。
【０１４８】
尚、第１の筐体１１０と操作部スライダ１３０との間はＦＰＣ１４０によって電気的に接続され（図２２（Ｂ））、第２の筐体１２０と操作部スライダ１３０のとの間はＦＰＣ１４２によって電気的に接続されている（図２２（Ｃ））。
［携帯機器１の他の実施の形態］
図２３は第１の筐体１０と第２の筐体１２とのスライド位置の関係を示す平面図である。
【０１４９】
図２３（Ａ）、（Ｂ）及び（Ｄ）は、図１２（Ａ）、（Ｂ）及び（Ｃ）に対応しているため、その説明は省略する。
【０１５０】
図２３（Ｃ）に示すように第２の筐体１２は、同図上で右方向に距離Ｌ８だけ移動した位置（第６の位置）で停止することができ、この実施の形態では、第２の筐体１２の第６の位置への移動を、例えば第１の再生モード（通常の再生モード）に割り当てるようにしている。また、このとき露出する第２の筐体１２上の第２のモニタ１４及びタッチパネル１４Ａは、第１の再生モード時に使用する操作部として使用できるようになっている。
【０１５１】
このように第２の筐体１２は、複数のスライド位置（移動位置）で停止することができ、携帯機器１は、第２の筐体１２の各移動位置に応じて動作モードが切り換えられる。
【０１５２】
［変形例］
図１２（Ｂ）に示した携帯機器１の動作モード（撮影モード）と、図１２（Ｄ）に示した携帯機器１の動作モード（第１の再生モード）とが逆になるように設定するようにしてもよい。ただし、この場合には、図１２（Ｄ）に示した状態時に撮影レンズ等が露出するように撮影レンズ等の位置を配置する必要がある。
【０１５３】
この実施の形態では、第２の筐体１２の移動位置をスイッチによって検出し、その移動位置に応じて携帯機器１の複数の機能を切り換えるようにしているが、これに限らず、第１の筐体１０と第２の筐体１２との相対的な移動距離を測定し、その移動距離に応じて携帯機器の複数の機能を切り換えるようにしてもよく、また、複数の機能の切換手段は、前記第２の筐体の移動と連動させずに、別途設けたモード選択手段によって行うようにしてもよい。
【０１５４】
また、携帯機器は、この実施の形態の撮像装置に限らず、携帯電話（カメラ付き携帯電話）、ＰＤＡ、電子辞書、ゲーム機等の他の機器であってもよく、これらの機器を適宜組み合わせたものでもよい。
【０１５５】
更に、２つのモニタに表示する表示内容もこの実施の形態に限らず、例えば、第２の筐体を携帯機器の長手方向に移動させて携帯電話として使用する場合には、上側のモニタを携帯電話の表示画面として使用し、下側のモニタをテンキー等が表示されたタッチパネル式の画面として使用することができる。また、第２の筐体を携帯機器の短手方向に移動させてＰＤＡとして使用する場合には、上側のモニタをＰＤＡの表示画面として使用し、下側のモニタをキーボード等が表示されたタッチパネル式の画面として使用することができる。
【０１５６】
勿論、本発明は、以上の例には限定されず、本発明の要旨を逸脱しない範囲において、各種の改良や変形を行ってもよいことは言うまでもない。
【図面の簡単な説明】
【０１５７】
【図１】図１は本発明に係る携帯機器の外観図であり、電源ＯＦＦ時の携帯機器の外観を示す４面図である。
【図２】図２は本発明に係る携帯機器の外観図であり、撮影モード時の携帯機器を示す４面図である。
【図３】図３は本発明に係る携帯機器の外観図であり、第３の再生モード時の携帯機器を示す３面図である。
【図４】図４は本発明に係る携帯機器の外観図であり、第１の再生モード時の携帯機器を示す４面図である。
【図５】図５は本発明に係る携帯機器の外観図であり、第２の再生モード時の携帯機器を示す３面図である。
【図６】図６は図１等に示した携帯機器の第１の筐体と第２の筐体との連結機構（スライド機構）の実施の形態を示す図である。
【図７】図７はボールキャッチの構造を示す断面図である。
【図８】図８は第１の筐体の下面の要部拡大図である。
【図９】図９は図８のＡ−Ａ線に沿う断面図である。
【図１０】図１０は第２の筐体を携帯機器の短手方向に移動させた場合のボールキャッチの状態を示す図である。
【図１１】図１１は第２の筐体を携帯機器の長手方向に移動させた場合のボールキャッチの状態を示す図である。
【図１２】図１２は第１の筐体と第２の筐体とのスライド位置の関係を示す平面図である。
【図１３】図１３は第１の筐体と第２の筐体とのスライド位置の関係を示す側面図である。
【図１４】図１４は本発明に係る携帯機器の内部構成の実施の形態を示すブロック図である。
【図１５】図１５は第２の再生モード時の第１の表示例を示す図である。
【図１６】図１６は第２の再生モード時の第１の表示例を示す図であり、タッチパネルが現れた状態を示す図である。
【図１７】図１７は第２の再生モード時の第２の表示例を示す図である。
【図１８】図１８は本発明に係る携帯機器の他の実施の形態を示す背面図である。
【図１９】図１９は図１８に示した携帯機器の第１の筐体と第２の筐体との連結機構（スライド機構）の実施の形態を示す図である。
【図２０】図２０は第２の筐体を対角線方向に移動させた場合のボールキャッチの状態を示す図である。
【図２１】図２１は本発明に係る携帯機器の他の実施の形態を示す分解斜視図である。
【図２２】図２２は第１の筐体と第２の筐体と操作部スライダとのスライド位置の関係を示す側面図である。
【図２３】図２３は第１の筐体と第２の筐体とのスライド位置の関係を示す平面図である。
【符号の説明】
【０１５８】
１、１’、１００…携帯機器、１０、１０’１１０…第１の筐体、１２、１２’、１２０…第２の筐体、１４…第１のモニタ、１４Ａ、２２Ａ…タッチパネル、１６…撮影レンズ、２２…第２のモニタ、２４…第１の操作部、２６、２６’…第２の操作部、２８…撮影ボタン、３０…ボール、３２…スチールフレーム、３４…凹部、３６…凹溝、３８…マグネット、４０…ＣＰＵ（中央処理装置）、５６…記録メディア、６２…ＣＣＤ、６４…レンズユニット、８２、８４…表示制御回路、１１２…ガイド部、１１４…ガイド孔、１３０…操作部スライダ、１３２…ガイドシャフト、１４０、１４２…フレキシブルプリント配線板（ＦＰＣ）、ＳＷ１〜ＳＷ４…開閉位置検出スイッチ
【図１】
2009111879.tif 000004
【図２】
2009111879.tif 000005
【図３】
2009111879.tif 000006
【図４】
2009111879.tif 000007
【図５】
2009111879.tif 000008
【図６】
2009111879.tif 000009
【図７】
2009111879.tif 000010
【図８】
2009111879.tif 000011
【図９】
2009111879.tif 000012
【図１０】
2009111879.tif 000013
【図１１】
2009111879.tif 000014
【図１２】
2009111879.tif 000015
【図１３】
2009111879.tif 000016
【図１４】
2009111879.tif 000017
【図１５】
2009111879.tif 000018
【図１６】
2009111879.tif 000019
【図１７】
2009111879.tif 000020
【図１８】
2009111879.tif 000021
【図１９】
2009111879.tif 000022
【図２０】
2009111879.tif 000023
【図２１】
2009111879.tif 000024
【図２２】
2009111879.tif 000025
【図２３】
2009111879.tif 000026